(57)【要約】【課題】少なくとも一つの導電体を接続するための端子構成体であって、導体レールを簡単に取り付け可能であるとともに、ハウジングに確実に固定することを可能にする端子構成体を提供する。【解決手段】少なくとも一つの導電体を接続するための端子構成体は、ハウジングと、当該ハウジンングに結合可能な導体レールと、を含み、前記導体レールに前記少なくとも一つの導電体が電気的に接続可能である。加えて嵌合装置が設けられており、当該嵌合装置は少なくとも一つの弾性変形可能な戻り止めスプリング要素を有し、当該戻り止めスプリング要素を介して前記導体レールは位置止め式に前記ハウジングと結合可能である。このようなやり方で、導体レールを簡単に取り付け可能であるとともに、ハウジングに確実に固定することを可能にする、少なくとも一つの導電体を接続するための端子構成体が提供される。【選択図】図１
2019079797.tif 000002
【特許請求の範囲】
【請求項１】
ハウジング（１０）と、当該ハウジンング（１０）に結合可能な導体レール（１１）と、を備える、少なくとも一つの導電体（２）を接続するための端子構成体（１）であって、
前記導体レールに、前記少なくとも一つの導電体（２）が電気的に接続可能である端子構成体において、
少なくとも一つの弾性変形可能な戻り止めスプリング要素（１２０）を有し、当該戻り止めスプリング要素を介して、前記導体レール（１１）は位置止め式に前記ハウジング（１０）と結合可能である嵌合装置（１２）を特徴とする端子構成体。
【請求項２】
前記ハウジング（１０）に設けられた前記少なくとも一つの戻り止めスプリング要素（１２０）は、前記導体レール（１１）に設けられた対応する嵌合凹所（１２１）に嵌合するために設けられていることを特徴とする請求項１に記載の端子構成体（１）。
【請求項３】
前記嵌合装置（１２）は、前記導体レール（１１）の側縁部（１１２）において、前記ハウジング（１０）との形状接続式結合を生じさせるために形成されていることを特徴とする請求項１または２に記載の端子構成体（１）。
【請求項４】
前記導体レール（１１）は、平面（Ｅ）に沿って延在する本体（１１０）を有し、前記平面（Ｅ）は、横方向（Ｑ）および深さ方向（Ｔ）を介して張設されていることを特徴とする請求項１から３のいずれか一項に記載の端子構成体（１）。
【請求項５】
前記少なくとも一つの戻り止めスプリング要素（１２０）は、前記導体レール（１１）を、前記深さ方向（Ｔ）に対して垂直であるとともに前記横方向（Ｑ）に対して垂直である高さ方向（Ｈ）周りにねじり強さを有して、前記ハウジング（１０）に対して固定することを特徴とする請求項４に記載の端子構成体（１）。
【請求項６】
前記少なくとも一つの戻り止めスプリング要素（１２０）は、前記導体レール（１１）の前記平面（Ｅ）に対して垂直に、弾性的にばね性を有することを特徴とする請求項４または５に記載の端子構成体（１）。
【請求項７】
前記導体レール（１１）は、前記深さ方向（Ｔ）に沿った向きの差し込み方向（Ａ）において、前記ハウジング（１０）に結合するために差し込み可能であることを特徴とする請求項４から６のいずれか一項に記載の端子構成体（１）。
【請求項８】
前記少なくとも一つの戻り止めスプリング要素（１２０）は、前記導体レール（１１）を前記ハウジング（１０）に差し込む際に、前記少なくとも一つの戻り止めスプリング要素（１２０）を、力をそらすようにたわませるために、前記深さ方向（Ｔ）に対して斜めに傾斜した乗り上げ斜面（１２４）を有していることを特徴とする請求項７に記載の端子構成体（１）。
【請求項９】
前記少なくとも一つの戻り止めスプリング要素（１２０）は、嵌合ヘッド（１２５）および結合脚部（１２６）を有し、前記嵌合ヘッド（１２５）は、前記結合脚部（１２６）を介して、前記ハウジング（１０）のハウジング部分（１０３）と結合されていることを特徴とする請求項７または８に記載の端子構成体（１）。
【請求項１０】
前記結合脚部（１２６）は、空隙部（１２８）を介して前記ハウジング部分（１０３）から分離されており、それにより前記結合脚部（１２６）は、前記嵌合ヘッド（１２５）と共に、前記平面（Ｅ）に対して垂直に、前記ハウジング部分（１０３）に対して弾性的に変形可能であることを特徴とする請求項９に記載の端子構成体（１）。
【請求項１１】
前記嵌合ヘッド（１２５）は、差し込み方向（Ｅ）に見た場合、前記結合脚部（１２６）の後ろに設けられていることを特徴とする請求項９または１０に記載の端子構成体（１）。
【請求項１２】
前記導体レール（１１）は、前記ハウジング（１０）と結合された位置において、前記結合脚部（１２６）に載置されていることを特徴とする請求項９から１１のいずれか一項に記載の端子構成体（１）。
【請求項１３】
差込方向（Ｅ）に抗する負荷がかかるとき、前記嵌合ヘッド（１２５）と対応する嵌合凹所（１２１）との嵌合は、自動ロック作用を有することを特徴とする請求項９から１２のいずれか一項に記載の端子構成体（１）。
【請求項１４】
前記少なくとも一つの戻り止めスプリング要素（１２０）は、前記平面（Ｅ）に対して垂直に、弾性的にばね性を有するが、前記横方向（Ｑ）に沿っては硬直的に形成されていることを特徴とする請求項４から１２のいずれか一項に記載の端子構成体（１）。
【請求項１５】
前記嵌合装置（１２）は、前記導体レール（１１）を、向き合う側縁部（１１２）において前記ハウジング（１０）と形状接続式に結合させるために、前記ハウジング（１０）に設けられた二つの戻り止めスプリング要素（１２０）を有することを特徴とする請求項１から１４のいずれか一項に記載の端子構成体（１）。
【請求項１６】
導電体（２）を前記導体レール（１１）に接続するための、少なくとも一つの接続装置（１３）が設けられていることを特徴とする請求項１から１５のいずれか一項に記載の端子構成体（１）。
【請求項１７】
前記少なくとも一つの接続装置（１３）は、前記導体レール（１１）のねじ込み開口部（１１１）内にねじ込み可能なねじ要素（１３０）を有することを特徴とする請求項１０に記載の端子構成体（１）。
【請求項１８】
前記嵌合装置（１２）は、前記ねじ要素（１３０）をねじ込み方向（Ｄ）において、対応する前記ねじ込み開口部（１１１）にねじ込む際に、前記導体レール（１１）を前記ハウジング（１０）に結合するための前記少なくとも一つの戻り止めスプリング要素（１２０）の形状接続式な嵌合が、自己補強式であるように調整されていることを特徴とする請求項１１に記載の端子構成体（１）。
【請求項１９】
ハウジング（１０）および導体レール（１１）の一方に設けられるとともに、ハウジング（１０）および導体レール（１１）の他方に設けられたコーディング凹所（１４１）に嵌合するためのコーディング要素（１４０）を有するコーディング装置（１４）を特徴とする請求項１から１８のいずれか一項に記載の端子構成体（１）。
【請求項２０】
前記ハウジング（１０）は、前記ハウジング（１０）を取り付けレール（３）に固定するための固定装置（１００）を有することを特徴とする請求項１から１９のいずれか一項に記載の端子構成体（１）。
【発明の詳細な説明】
【技術分野】
【０００１】
本発明は、請求項１のおいて書き部に記載された、少なくとも一つの導電体を接続するための端子構成体に関する。
【背景技術】
【０００２】
このような端子構成体は、ハウジングおよびハウジンングに結合可能な導体レールを含み、導体レールには少なくとも一つの導電体を電気的に接続することができる。
【０００３】
このような端子構成体は、例えば連続端子として、特に貫通端子として構成されていてよい。このような連続端子は、他の連続端子と共に、互いに並んで例えば取り付けレールに設置することができ、それによりこのようなやり方で、制御機能、接続機能、または安全上の機能を提供するために、例えば制御キャビネット内、または電気的設備に取り付けることができる端子構成体を創出する。
【０００４】
貫通端子は通常、二つの接続箇所を有し、当該接続箇所に二つの導電体を、導体同士の電気的接続を提供するために接続することができる。導電体同士の接続は、導体レールを介して行われ、導体レールは場合により、導電体同士の間で（大きな）電流を伝送するために大きな通電容量を有し、そのために例えば中実の金属体として形成されている。
【０００５】
導電体を導体レールに接続するための接続部は、例えばねじ込み接続部として形成されていてよい。導電体は、このようなねじ込み接続部に、例えば接続シューの形の好適な接続要素を用いて設置することができ、それによりその後、ねじ込み接続部のねじ要素を締め付けることにより、導電体を導体レールに固定する。
【０００６】
このような端子構成体は、例えば特許文献１から知られている。
【０００７】
このような端子構成体では、導体レールを簡単なやり方でハウジングに固定することが求められ、しかも取り付けられた状態でしっかりと固定されている必要がある。導体レールは特に、ねじ込み接続部のねじ要素を締め付ける際に作用するトルクが受容されるとともに放出され得、その際にハウジングに対する導体レールの固定が損なわれないように、ねじり強さを有してハウジングに固定されている必要がある。
【先行技術文献】
【特許文献】
【０００８】
【特許文献１】独国特許出願公開第１０２００９０５７８５４号明細書
【発明の概要】
【発明が解決しようとする課題】
【０００９】
本発明の課題は、少なくとも一つの導電体を接続するための端子構成体であって、導体レールを簡単に取り付け可能であるとともに、ハウジングに確実に固定することを可能にする端子構成体を提供することである。
【課題を解決するための手段】
【００１０】
上記の課題は、請求項１の特徴を備える対象によって解決される。
【００１１】
請求項１によれば端子構成体は嵌合装置を有し、当該嵌合装置は少なくとも一つの弾性変形可能な戻り止めスプリング要素を有し、当該戻り止めスプリング要素を介して導体レールは位置止め式にハウジングと結合可能である。
【００１２】
したがって導体レールをハウジングと結合することは、一つまたは複数の弾性変形可能な戻り止めスプリング要素を備える嵌合装置を介して行われる。これにより、導体レールはハウジングと位置止め式に結合され、それにより導体レールを差し込むことにより、ハウジングに簡単に取り付けることが可能となり、しかも取り付けられた状態で導体レールは、嵌合装置を介した形状接続式結合の下で、ハウジングに確実に固定される。
【００１３】
一の構成において少なくとも一つの戻り止めスプリング要素がハウジングに設けられており、端子構成体が組み立てられたとき、導体レールに設けられた対応する嵌合凹所に嵌合する。このとき一つまたは複数の戻り止めスプリング要素がハウジングに設けられていてよく、例えば一体式かつ統合式にハウジング上に形成されていてよく、それにより端子構成体が組み立てられたとき、導体レールに設けられた一つまたは複数の嵌合凹所に嵌合する。複数の戻り止めスプリング要素がハウジングに設けられている場合、ハウジングに対して導体レールを確実かつねじり強さを有して固定するために、嵌合装置を用いて、導体レールとハウジングとの形状接続式結合を複数の場所で生じさせることができる。
【００１４】
逆に、一つまたは複数の戻り止めスプリング要素を導体レールに設けることも想定可能かつ可能である。この場合、嵌合凹所はハウジングに形成され、それにより導体レールが取り付けられたとき、導体レールとハウジングとの形状接続式結合を生じさせる。
【００１５】
嵌合装置は例えば、導体レールとハウジングとの形状接続式結合を、導体レールの側縁部において生じさせるために形成されていてよい。戻り止めスプリング要素がハウジングに設けられている場合、戻り止めスプリング要素は、導体レールが取り付けられたとき、導体レールの側縁部に設けられた対応する嵌合凹所に嵌合し、それによりハウジングと導体レールとの形状接続式結合を生じさせる。
【００１６】
一の構成において、導体レールは、横方向および深さ方向に張設される平面に沿ってプレート状に延在する本体を有する。当該本体は、例えば矩形の基本形状を有するとともに、側方において深さ方向に沿って当該本体の両側に延びた側縁部によって画定されていてよい。嵌合装置を介して当該本体は、例えば一方の側縁部において、または両方の（向かい合う）側縁部において、形状接続式にハウジングと結合されていてよく、それにより、導体レールは取り付けられた状態で、嵌合装置を介してハウジングに対して固定されている。
【００１７】
嵌合装置の戻り止めスプリング要素を介して、特にハウジングに対してねじり強さを有して導体レールを結合することができ、それにより導体レールは、深さ方向に対して垂直かつ横方向に対して垂直な向きである高さ方向周りに、ハウジングに対してねじり強さを有して固定されている。導体レールはこれにより、当該導体レールの平面内でハウジングに対してねじられることができず、それにより、特に例えばねじ込み接続部のねじ要素をねじ込む際のトルクがハウジングにおいて受容されるとともに、ハウジング内に放出され得るように、ハウジングに対して固定されている。
【００１８】
一の構成において嵌合装置の少なくとも一つの戻り止めスプリング要素は、好ましくは高さ方向に沿って、すなわち導体レールの本体の平面に対して垂直に、弾性的にばね性を有する。このとき嵌合装置は、例えば深さ方向に沿った向きの差し込み方向において、導体レールをハウジングに設置することを可能にし、それにより導体レールをハウジングに結合するが、導体レールをハウジングに設置する際、嵌合装置の一つまたは複数の戻り止めスプリング要素は弾性変形させられ、すなわち導体レールの本体の平面に対して垂直にたわまされる。その後、導体レールが取り付けられたとき、戻り止めスプリング要素は、例えば導体レールの対応する嵌合凹所に嵌合し、それにより導体レールをハウジングに対して固定する。
【００１９】
導体レールをハウジングに差し込むことを容易にするために、嵌合装置の少なくとも一つの戻り止めスプリング要素は、例えば深さ方向に対して斜めに傾斜した乗り上げ斜面を有していてよく、当該乗り上げ斜面は、導体レールをハウジングに差し込む際に、少なくとも一つの戻り止めスプリング要素がたわむことを支援する。少なくとも一つの戻り止めスプリング要素が、例えばハウジングに設けられている場合、導体レールは差し込まれる際に、少なくとも一つの戻り止めスプリング要素の乗り上げ斜面に作用し、少なくとも一つの戻り止めスプリング要素が、特に導体レールの本体の平面に対して垂直にたわまされるように、乗り上げ斜面に乗り上げる。それにより、少なくとも一つの戻り止めスプリング要素が弾性変形する状態で、導体レールはハウジングに差し込むことができ、少なくとも一つの戻り止めスプリング要素は、導体レールが所定の差し込み位置に到達すると、応力が解除された初期位置に戻り、それとともに導体レールの対応する嵌合凹所にスナップ式に嵌合する。
【００２０】
一の構成において少なくとも一つの戻り止めスプリング要素は、嵌合ヘッドと結合脚部とを有する。嵌合ヘッドは、このとき結合脚部を介してハウジングのハウジング部分と結合されている。嵌合ヘッドには、例えば乗り上げ斜面が設けられている。導体レールが差し込み式にハウジングと結合されるとき、嵌合ヘッドは導体レールの側面に設けられた嵌合凹所に嵌合し、それにより導体レールとハウジングとの形状接続式結合を生じさせる。
【００２１】
少なくとも一つの戻り止めスプリング要素は、好ましくはハウジングのハウジング部分と統合式かつ一体式に形成されている。これに応じて、結合脚部は一方の端部がハウジング部分と結合されているが、弾性変形可能であり、それにより嵌合ヘッドは結合脚部において弾性的にたわませることができ、それにより導体レールが差し込み式にハウジングと結合されるとき、導体レールの側面に設けられた嵌合凹所に嵌合する。
【００２２】
結合脚部は、例えばスリット状のクリアランスの型式の空隙部を介して、高さ方向に沿って見た場合、ハウジング部分から分離されており、それにより結合脚部は当該結合脚部に設けられた嵌合ヘッドと共に、平面に対して垂直に、ハウジング部分に対して弾性的に変形させることができる。このとき、平面に対して垂直な向きの高さ方向に沿って見た場合、空隙部は、結合脚部の下方であって、導体レールに対向しない結合脚部の面に形成されており、それにより、導体レールが差し込み式にハウジングと結合されるとき、少なくとも一つの戻り止めスプリング要素は、高さ方向に沿って弾性的にたわませることができる。
【００２３】
一の構成において嵌合ヘッドは、差し込み方向で見た場合、結合脚部の後ろに設けられている。したがって導体レールを差し込み式にハウジングと結合するとき、導体レールはまず結合脚部に載置され、結合脚部に沿って少なくとも一つの戻り止めスプリング要素に、差し込み方向に被せられる。導体レールはその後、結合脚部に設けられた嵌合ヘッド上に乗り上げ、それにより少なくとも一つの戻り止めスプリング要素を変形させ、それにより、導体レールとハウジングが結合された位置において、嵌合ヘッドが導体レールに設けられた嵌合凹所にスナップ式に嵌合し、このようなやり方でハウジングと導体レールとの形状接続式結合を生じさせるまで、導体レールは嵌合ヘッドを超えて移動させられ得る。
【００２４】
このとき導体レールは、ハウジングと結合された位置において、導体レールの本体の平面に垂直な高さ方向に沿って見た場合、例えば結合脚部上に設けられており、結合脚部はこれにより、ハウジングにおいて導体レールのための支持部を形成する。嵌合ヘッドはこのとき、導体レールに設けられた嵌合凹所に嵌合し、それにより少なくとも一つの戻り止めスプリング要素を介して、ハウジングにおける導体レールのための確定的な座部が作り出される。
【００２５】
一の構成において、嵌合ヘッドが対応する嵌合凹所に嵌合することは、差し込み方向に抗する負荷がかかると、自動ロックされる。導体レールが、ハウジングと結合された位置において、ハウジングに対して差込方向と逆の負荷を受けると、嵌合ヘッドはこれにより対応する嵌合凹所との嵌合を保持され、特に自動的に嵌合凹所から外に出ることはできない。したがって導体レールにおける負荷力は、導体レールがハウジングから（意図せずに）外れることを生じさせ得ず、負荷がかかるとき、導体レールがハウジングに固定されることは保証されている。
【００２６】
少なくとも一つの戻り止めスプリング要素は、好ましくは平面に対して垂直に、弾性的にばね性を有しており、それにより導体レールを差し込み式にハウジングに結合するとき、高さ方向に沿って平面に対して垂直に、たわませることができる。しかしながらこのとき、差し込み方向を横断するとともに高さ方向を横断する向きの横方向に沿って、少なくとも一つの戻り止めスプリング要素は概ね剛体であって、変形可能ではなく、それにより少なくとも一つの戻り止めスプリング要素を介して、ハウジングにおける導体レールの位置は、横方向に沿って確定されている。したがって少なくとも一つの戻り止めスプリング要素が導体レールに嵌合することにより、導体レールは差し込み方向に抗して、かつ高さ方向に沿うだけでなく、横方向に沿っても、ハウジングに対してロックされる。
【００２７】
一の構成において、嵌合装置はハウジングに設けられた二つの戻り止めスプリング要素を有しており、当該戻り止めスプリング要素は、導体レールの本体の向き合う側縁部において、導体レールとハウジングとの形状接続式結合を生じさせる役目を果たす。これにより、嵌合装置と、横方向に沿って互いに離間している嵌合装置の戻り止めスプリング要素とを介して、導体レールの両の側縁部において、ハウジングに対する導体レールの支持部が提供され、それにより導体レールは確実に、かつ耐負荷性を有してハウジングに対して固定されている。
【００２８】
一の構成において、導体レールは導電体を接続するための少なくとも一つの接続装置を有している。例えば、貫通端子を実現するために、ねじ込み接続部の型式のちょうど二つの接続装置が導体レールに設けられていてよく、それにより両の接続装置を介して、二つの導電体は導体レールに接続され、このようなやり方で貫通接点を用いて導体レールを介して互いに接続することができる。
【００２９】
ねじ込み接続部の型式の接続装置は、特に導体レールのねじ込み開口部内にねじ込み可能なねじ要素を有しており、導体を導体レールに固定するために、導体は特に接続シューの型式の好適な接続要素を用いて導体レールに設置され、ねじ要素を介して導体レールと結合される。
【００３０】
一の有利な構成において、嵌合装置は、ねじ要素を対応するねじ込み開口部に（ねじ込み方向において）ねじ込む際、例えばハウジングに設けられた戻り止めスプリング要素と、例えば導体レールに設けられた対応する嵌合凹所と、の形状接続式嵌合が自己補強式であるように調整されている。これにより、ねじ要素を対応するねじ込み開口部にねじ込む際、戻り止めスプリング要素の対応する嵌合凹所への嵌合は負荷を受け、それにより戻り止めスプリング要素は嵌合凹所に嵌合した状態で保持され、これにより形状接続式結合は、ねじり負荷がかかっても容易に解除することができない。
【００３１】
さらなる態様によれば、端子構成体は好ましくはコーディング装置を有し、当該コーディング装置は唯一の位置および向きにおいてのみ、導体レールをハウジングに設置させる。このようなコーディング装置は例えばコーディング要素を有し、当該コーディング要素は例えば突条体の型式でハウジング、または導体レールに設けられており、導体レールが取り付けられた位置で、それぞれ他の構成部材、すなわち導体レールまたはハウジングに設けられた対応するコーディング凹所に嵌合する。
【００３２】
このようなコーディング要素は、例えばハウジングの後部壁から、差し込み方向と反対に突出するとともに、導体レールの本体の横方向に沿って延ばされた横縁部に設けられた、対応するコーディング凹所に、差し込み方向に抗して嵌合することができる。このときコーディング要素とコーディング凹所との嵌合は、（横方向に沿って見た場合）中心から外れており、それにより導体レールは、唯一の位置および向きにおいてのみ、ハウジングに設置することが可能である。
【００３３】
本発明で説明される型式の端子構成体は、例えば連続端子として、例えば貫通端子として形成されており、他の端子構成体と組み合わせることができ、それにより複数の端子構成体を組み合わせたものを、例えば取り付けレールにおいて統合する。端子構成体のハウジングには、このために好ましくは固定装置が形成されており、当該固定装置を用いて、ハウジングは取り付けレールに設置することができ、それにより設置された位置で形状接続式に取り付けレールと固定される。
【００３４】
貫通端子として形成された端子構成体において、特に二つの接続装置が、特にねじ込み接続部の型式で導体レールに設けられており、当該ねじ込み接続部を介して二つの導体は貫通式接触を行うために、導体レールに接続することができる。
【００３５】
以下において本発明の基礎となる概念を、図に示される実施の形態に基づいてより詳しく説明する。図に示すのは以下の通りである。
【図面の簡単な説明】
【００３６】
【図１】端子構成体に導体が接続されている端子構成体の一の実施の形態を示す図である。
【図２】図１に示す構成体の正面図である。
【図３】端子構成体の他の正面図である。
【図４】図３に示す線Ａ−Ａに沿った断面を示す図である。
【図５】端子構成体のハウジングを図３に示す線Ａ−Ａに沿って切断し、ハウジングに導体レールが設置されていない状態で示す図である。
【図６】導体レールを別個に示す図である。
【図７】ハウジングに導体レールを設置する前のハウジングを側面から示す図である。
【図８】ハウジングに導体レールが設置されているハウジングを側面から示す図である。
【図９】図８に示す構成体を部分Ｂにおいて拡大して示す図である。
【図１０】ねじ込み接続部の型式の接続装置が締め付けられている端子構成体を側面から示す図である。
【図１１】端子構成体に導体が接続されている端子構成体の断面を示す図である。
【図１２】嵌合装置の戻り止めスプリング要素が導体レールに設けられた嵌合凹所に嵌合する領域における導体レールを示す図である。
【図１３】導体レールが結合された位置での導体レールと対応する戻り止めスプリング要素を拡大して示す図である。
【図１４】導体レールに差し込み方向に抗する負荷をかけた場合のモーメント作用を示す図９に応じた図である。
【発明を実施するための形態】
【００３７】
図１は貫通端子として形成された連続端子の型式の端子構成体１を示しており、当該端子構成体はハウジング１０を有するとともに、当該ハウジング１０の下側に形成された固定装置１００を介して、取り付けレール３と位置止め式に結合することができる。
【００３８】
端子構成体１は同型式の、または異なる型式の他の端子構成体と組み合わせることができ、それによりこのようなやり方で、例えば電気的設備において、例えば制御キャビネット内で制御機能、接続機能、または安全上の機能を提供するための電気的構成グループを作り出す。
【００３９】
端子構成体１は導体レール１１を有し、当該導体レールは取り付けられた位置において、ハウジング１０内の差し込み箇所１０２に挿入されるとともに、ハウジング１０と固定式に結合されている。導体レール１１は自明のように、導電性を有する中実材料から形成されているとともに、本体１１０を有し、当該本体は深さ方向Ｔおよび横方向Ｑを介して張設される平面Ｅに沿って延在する。
【００４０】
導体レール１１はねじ要素１３０および締め付け要素１３１を備えるねじ込み接続部の型式の二つの接続装置１３を有し、当該接続装置を介して、二つの導体２を導体レール１１に接続することができる。導体２はこのために、側方においてハウジング１０に挿入することができ、それにより、図１において（二つのケーブル心線２１を有する）導体２について表示されているように、導線被覆２０により包囲された導体２のケーブル心線２１に設けられた接続要素２１０を、それぞれ対応する接続装置１３のねじ要素１３０と係合させ、締め付け要素１３１を介して導体レール１１に締結する。
【００４１】
接続装置１３の締め付け要素１３１は、ピン１３２を介して導体レール１１の開口部１１３にガイドされ、ばね要素１３３を介して導体レール１１に対して、ばねによる予荷重を受けており、それにより、それぞれのねじ要素１３０が解除された後、図１において右の接続装置１３について表示されているように、締め付け要素１３１はねじ要素１３０と共に移動され、導体レール１１から持ち上げられる。
【００４２】
導体２を導体レール１１に締結するために、それぞれの接続装置１３のねじ要素１３０は、導体レール１１の本体１１０に設けられた対応するねじ込み開口部１１１にねじ込まれ、それにより締め付け要素１３１は導体レール１１へと移動され、それにより接続シューの型式の接続要素２１０は、導体レール１１に締結される。
【００４３】
図２から図１２は端子構成体１のさらなる図であり、導体が接続されたもの（図２）、接続装置１３が解除された状態で導体２が接続されていないもの（図３）、および導体２は接続されていないが、接続装置１３は締め付けられているもの（図１０）、を示している。それぞれ一の導体２が、ハウジング１０の一の側に設置され、導体レール１１に設けられた対応する接続装置１３と結合することができ、それによりこのようなやり方で、端子構成体１の両側に接続された導体２同士の貫通式接続を達成する。
【００４４】
接続装置１３のねじ要素１３０にアクセスするために、ハウジング１０の上側の、固定装置１００と対向していない面に開口部１０１が形成されており、当該開口部を介して例えばねじ回しを用いて、接続装置１３のねじ要素１３０にアクセスすることができる。
【００４５】
導体レール１１は、図７および図８を概観すると分かるように、あらかじめ組み立てられるとともに接続装置１３が設けられた構成グループとして、差し込み方向Ａにおいて、ハウジング１０の対応する差し込み箇所１０２に差し込むことができ、差し込まれた状態で（図８）、嵌合装置１２を介して位置止め式に、およびそれとともに形状接続式にハウジング１０と結合されている。嵌合装置１２は、ハウジング１０に一体的に形成された二つの戻り止めスプリング要素１２０を有し、当該戻り止めスプリング要素は、導体レール１１の本体１１０の両側において、深さ方向Ｔに沿って延びた側縁部１１２に設けられた対応する嵌合凹所１２１に嵌合するために形成されており、それによりこのようなやり方で、ハウジング１０に設けられた差し込み箇所１０２において、導体レール１１を固定する。
【００４６】
戻り止めスプリング要素１２０は弾性的に、特に本体１１０の平面Ｅに対して垂直に延びる高さ方向Ｈに沿って変形可能である。戻り止めスプリング要素１２０はそれぞれ、図９に示す拡大図から分かるように、深さ方向Ｔおよび高さ方向Ｈに対して斜めに傾斜した乗り上げ斜面１２４を有し、導体レール１１は、差し込み方向Ａにおいて差し込み箇所１０２に差し込まれる際、対応する側縁部１１２の前方エッジ部分１１４が、乗り上げ斜面に乗り上げ、それにより、前方エッジ部分１１４が戻り止めスプリング要素１２０を通過して移動を完了するとともに、例えば図４とともに図９を概観すると分かるとおり、戻り止めスプリング要素１２０が、側縁部１１２に設けられた嵌合凹所１２１とスナップ式に嵌合できるまで、それぞれの戻り止めスプリング要素１２０を弾性的に下方に押す。
【００４７】
導体レール１１は取り付けられた位置で、差し込み方向Ａに抗して形状接続式にハウジング１０に保持され、それにより（高さ方向Ｈに沿って上方と下方において、対応するハウジング１０の壁部分によって画定されている）差し込み箇所１０２において、固定されている。
【００４８】
図５がハウジング１０を個別に表示する一方、図６は導体レール１１を個別に示している。嵌合凹所１２１は、導体レール１１の本体１１０の両側で、本体１１０を画定する側縁部１１２に形成されており、それぞれの側縁部１１２を起点とするくぼみとして、本体１１０内へと延在する。ハウジング１０の戻り止めスプリング要素１２０は、取り付けられた位置で（例えば図４参照）嵌合凹所１２１に嵌合し、それにより導体レール１１を形状接続式にハウジング１０に固定する。
【００４９】
加えて導体レール１１は、図６から分かるように、接続装置１３のねじ要素１３０のためのねじ込み開口部１１１と、接続装置１３の締め付け要素１３１のピン１３２のためのガイド開口部としての開口部１１３と、を有する。
【００５０】
対応する嵌合凹所１２１への戻り止めスプリング要素１２０の嵌合は、自己補強式であり、それにより、導体レール１１が差し込み箇所１０２から差し込み方向Ａに抗して外れることは容易に可能ではなく、いずれにしても（意識的に）、例えば器具を用いてロックを解除しなければ可能ではない。したがって、例えば図１１および図１２から分かるように、接続装置１３のねじ要素１３０をねじ込み方向Ｄに締める際、ねじ込み方向Ｄへのトルクが導体レール１１に作用し、それにより図１１および図１２において右に表示された側縁部１１２に設けられたエッジ部分１１４は、ねじ込み方向Ｄにおいてストッパ面１２３を介して、対応する戻り止めスプリング要素１２０に設けられた対応するストッパ面１２２に当接する。これにより戻り止めスプリング要素１２０は、（特に高さ方向Ｈにおいて）嵌合凹所１２１に押し込まれ、それにより負荷がかかる際、戻り止めスプリング要素１２０と対応する嵌合凹所１２１とのロックが自動的に解除されることは防止されている。したがって特に接続装置１３のねじ要素１３０をねじ込む際のねじり負荷により、望んでいないのに導体レール１１がハウジング１０から外れることは起こらない。
【００５１】
図１３は、導体レール１１の本体１１０に凹設された、対応する嵌合凹所１２１に嵌合する戻り止めスプリング要素１２０を拡大して示している。戻り止めスプリング要素１２０は嵌合ヘッド１２５を有し、当該嵌合ヘッドには、深さ方向Ｔに対して斜めであるとともに、高さ方向Ｈに対して斜めに面取りすることにより、乗り上げ斜面１２４が形成されており、嵌合ヘッドは導体レール１１が結合された位置において、導体レール１１の側面で、対応する嵌合凹所１２１と嵌合し、それによりハウジング１０と導体レール１１との形状接続式結合を生じさせる。
【００５２】
嵌合ヘッド１２５は、結合脚部１２６の一の端部に形成されており、当該結合脚部を介して嵌合ヘッド１２５は、ハウジング１０のハウジング部分１０３と結合されている。このとき結合脚部１２６は、ハウジング部分１０３と一体式に形成されており、嵌合ヘッド１２５から離れた端部１２７において、ハウジング部分１０３と結合されている。
【００５３】
戻り止めスプリング要素１２０は、概ね端部１２７の周囲において、高さ方向Ｈに沿ってハウジング部分１０３に対して、弾性的にたわませることができる。このとき結合脚部１２６は、深さ方向Ｔに沿って形成されたスリット状の空隙部１２８を介して、（高さ方向Ｈに沿って見た場合に）ハウジング部分１０３から分離されており、それにより戻り止めスプリング要素１２０は、当該戻り止めスプリング要素の結合脚部１２６および当該結合脚部に設けられた嵌合ヘッド１２５により、高さ方向Ｈに沿って、ハウジング部分１０３に対して弾性的にたわませることができる。
【００５４】
導体レール１１をハウジング１０に結合する際、すなわち導体レール１１を差し込み方向Ｅにおいてハウジング１０に差し込む際、導体レール１１は差し込み方向Ｅに沿って前にある部分１１４が、嵌合ヘッド１２５に当接し、個々の戻り止めスプリング要素１２０の嵌合ヘッド１２５に設けられた乗り上げ斜面１２４に乗り上げ、それにより戻り止めスプリング要素１２０は、高さ方向Ｈに沿って下方にたわまされ、それにより部分１１４は嵌合ヘッド１２５を通過して移動され、最終的に嵌合ヘッド１２５は、導体レール１１の対応する嵌合凹所１２１に、スナップ式に嵌合する。こうして結合された位置において、戻り止めスプリング要素１２０を介して、導体レール１１の両側で、導体レール１１とハウジング１０との形状接続式結合が生じさせられる。このとき戻り止めスプリング要素１２０が、横方向Ｑに沿って概ね硬直しているとともに非弾性的に形成されていることにより、導体レール１１は横方向Ｑに沿っても、戻り止めスプリング要素１２０を介して、ハウジング１０に対する位置が保持される。
【００５５】
個々の戻り止めスプリング要素１２０の嵌合ヘッド１２５は、差し込み方向Ｅに沿って見た場合、対応する結合脚部１２６の後ろに設けられており、それにより導体レール１１は、まず結合脚部１２６に載置され、その後、嵌合ヘッド１２５に乗り上げる。結合された位置において、結合脚部１２６は、導体レール１１に対する支持部を形成し、それにより、図１３から分かるように、戻り止めスプリング要素１２０を介して、導体レール１１の両側で、ハウジング１０において高さ方向Ｈに沿って、導体レール１１の座部も画定されている。
【００５６】
結合された位置において、嵌合ヘッド１２５と導体レール１１、特に嵌合ヘッド１２５に形成されるとともに、導体レール１１の部分１１４に向き合うストッパ面１２２と導体レールとの嵌合には、自動ロック作用がある。図１４に表示されているように、導体レール１１が、ハウジング１０に対する差込方向Ｅに抗して負荷力Ｆを受けると、部分１１４はストッパ面１２２に当接し、戻り止めスプリング要素１２０において、嵌合ヘッド１２５と対応する嵌合凹所１２１との嵌合を強める方向に、トルク方向Ｍへの負荷を生じさせる。したがって導体レール１１における差込方向Ｅに抗する負荷は、戻り止めスプリング要素１２０と導体レール１１との嵌合を容易に解除させることはできず、負荷がかかると嵌合ヘッド１２５は、対応する嵌合凹所１２１との嵌合が強くなるように押圧される。
【００５７】
このような負荷力Ｆは、例えば接続装置１３のねじ要素１３０をねじ込む際に生じ得るが、導体レール１１に対してその他の力が作用するときにも生じ得る。
【００５８】
端子構成体１では、コーディング装置１４を介して、ハウジング１０において導体レール１１を正しい位置に設置することが確保される。コーディング装置１４は、ハウジング１０の後部壁に設けられた、突条形状の突出要素の型式のコーディング要素１４０によって形成され、例えば図４および図１１から分かるように、当該コーディング要素は導体レール１１が取り付けられたとき、横方向Ｑに沿って延在する、導体レール１１の本体１１０の横方向エッジ１１５に設けられた対応するコーディング凹所１４１に嵌合する。ハウジング１０におけるコーディング要素１４０と、導体レール１１におけるコーディング凹所１４１とは、（横方向Ｑに沿って見た場合）、中心から外れて差し込み箇所１０２に設けられているので、導体レール１１は、唯一の位置および向きにおいてのみ、差し込み箇所１０２に挿入することができ、それによりハウジング１０に対して導体レール１１を正しい位置および向きで設置することが支援される。
【００５９】
本発明の基礎となる概念は、上記の実施の形態に限定されず、基本的に全く異なるやり方でも実現される。
【００６０】
端子構成体は特に、単に例として表示するために参照された、本願において示される貫通端子以外の端子によって形成されていてもよい。
【００６１】
したがって導体レールには、特に二つよりも多い、または二つよりも少ない接続装置が設けられていてよく、当該接続装置はまた、基本的にねじ込み接続部と異なるように形成されていてよい。
【符号の説明】
【００６２】
１  端子構成体（貫通端子）
１０  ハウジング
１００  固定装置
１０１  開口部
１０２  差し込み箇所
１０３  ハウジング部分
１１  導体レール
１１０  本体
１１１  ねじ込み開口部
１１２  側縁部
１１３  開口部
１１４  部分
１１５  横方向エッジ
１２  嵌合装置
１２０  戻り止めスプリング要素
１２１  嵌合凹所
１２２，１２３  ストッパ面
１２４  乗り上げ斜面
１２５  嵌合ヘッド
１２６  結合脚部
１２７  端部
１２８  空隙部
１３  接続装置
１３０  ねじ要素
１３１  締め付け要素
１３２  ピン
１３３  ばね要素
１４  コーディング装置
１４０  コーディング要素
１４１  コーディング凹所
２  導電体
２０  導線被覆
２１  ケーブル心線
２１０  接続要素
３  取り付けレール
Ａ  差し込み方向
Ｄ  ねじ込み方向
Ｅ  平面
Ｆ  負荷力
Ｈ  高さ方向
Ｍ  トルク方向
Ｑ  横方向
Ｔ  深さ方向
【図１】
2019079797.tif 000003
【図２】
2019079797.tif 000004
【図３】
2019079797.tif 000005
【図４】
2019079797.tif 000006
【図５】
2019079797.tif 000007
【図６】
2019079797.tif 000008
【図７】
2019079797.tif 000009
【図８】
2019079797.tif 000010
【図９】
2019079797.tif 000011
【図１０】
2019079797.tif 000012
【図１１】
2019079797.tif 000013
【図１２】
2019079797.tif 000014
【図１３】
2019079797.tif 000015
【図１４】
2019079797.tif 000016
【外国語明細書】
2019079797000001.pdf